(57)【要約】【課題】ロール状物の形状や寸法に合う適当な軸支用アダプタを軸受パネルに装着することで、ロール状物が安定的に支持され、種々のロール状物を運搬できるようになる。【解決手段】向かい合わせに配置した一対の軸受パネル１，２の間にロール軸１１を支持するロール状物運搬用ホルダにおいて、該軸受パネルの上面中心から下方に向けて切込８を形成してＵ字状の軸受面９を形成するとともに、該切込の両側縁に該軸受パネルの上面から下方に向けて延びる差込溝１２，１３を形成し、該差込溝に挿入することで軸支用アダプタＡ〜Ｃを軸受面９上に着脱可能にした。【選択図】図３
2005324836.tif 000002
【特許請求の範囲】
【請求項１】
向かい合わせに配置した一対の軸受パネルの間にロール軸を支持するロール状物運搬用ホルダにおいて、該軸受パネルの上面中心から下方に向けて切込を形成してＵ字状の軸受面を形成するとともに、該軸受面上に軸支用アダプタを着脱可能に装着したことを特徴とするロール状物運搬用ホルダ。
【請求項２】
向かい合わせに配置した一対の軸受パネルの間にロール軸を支持するロール状物運搬用ホルダにおいて、該軸受パネルの上面中心から下方に向けて切込を形成してＵ字状の軸受面を形成するとともに、該切込の両側縁に該軸受パネルの上面から下方に向けて延びる差込溝を形成し、該差込溝に挿入することで軸支用アダプタを該軸受面上に着脱可能なるようにしたことを特徴とするロール状物運搬用ホルダ。
【請求項３】
軸支用アダプタは凸軸を一体に形成してなるものである請求項１または２に記載のロール状物運搬用ホルダ。
【請求項４】
軸支用アダプタは軸受部をＵ字形に形成してなるものである請求項１または２に記載のロール状物運搬用ホルダ。
【請求項５】
軸受面上に軸支用アダプタを装着した状態で該軸支用アダプタを移動不能にロックするロック機構を設けた請求項１〜４のいずれかに記載のロール状物運搬用ホルダ。
【発明の詳細な説明】
【技術分野】
【０００１】
本発明は、紙管等に巻かれたプラスチックフィルム等のロール状物を運搬等のために包囲するロール状物運搬用ホルダに関するものである。
【背景技術】
【０００２】
下記特許文献１に示されたロール搬送用ボックスパレットは、パレット上に一対の軸受パネルを互いに対向させて平行に立てるとともに、該軸受パネルの両側面にＸ字状のブレースの両端の鉤状折曲部を差し込むことにより該軸受パネルどうしを連結し、該軸受パネル間にロール状物が支持されるように構成したものである。
【特許文献１】特公平１−２６９４２号公報
【発明の開示】
【発明が解決しようとする課題】
【０００３】
ところで、上記従来のロール搬送用ボックスパレットのように、向かい合わせに配置した一対の軸受パネルの間にロール軸を支持するロール状物運搬用ホルダでは、軸受パネルの上面中心から下方に向けて切込を形成してＵ字状の軸受面を形成していたが、ロール軸の外径寸法は一様でなかったので、軸受面の内径とロール軸の外径とが一致しない場合には、安定的に支持できなかったり、ロール軸を差し込めないことがあった。また、ロール軸を有していないロール状物、或いは紙管のような中空状のロール軸を有し、その中に凸軸を両側から差し込むことにより支持できる仕様のロール状物もあるが、そのような場合、凸軸を有しない上記軸受パネルでは対処できないという問題があった。
本発明はこのような問題点を解消し得るロール状物運搬用ホルダを提供しようとするものである。
【課題を解決するための手段】
【０００４】
そのために請求項１に記載の発明は、向かい合わせに配置した一対の軸受パネルの間にロール軸を支持するロール状物運搬用ホルダにおいて、該軸受パネルの上面中心から下方に向けて切込を形成してＵ字状の軸受面を形成するとともに、該軸受面上に軸支用アダプタを着脱可能に装着したことを特徴とする。
このため、ロール軸の内外径等の違いがあっても軸支用アダプタを着脱することにより簡単に対処できる。
【０００５】
また請求項２に記載の発明は、向かい合わせに配置した一対の軸受パネルの間にロール軸を支持するロール状物運搬用ホルダにおいて、該軸受パネルの上面中心から下方に向けて切込を形成してＵ字状の軸受面を形成するとともに、該切込の両側縁に該軸受パネルの上面から下方に向けて延びる差込溝を形成し、該差込溝に挿入することで軸支用アダプタを該軸受面上に着脱可能なるようにしたことを特徴とする。
このため、種々の軸支用アダプタを簡単に堅固に装着することができる。
【０００６】
また、請求項３に記載の発明は、上記ロール状物運搬用ホルダにおいて、軸支用アダプタは凸軸を一体に形成してなるものであることを特徴とする。
この軸支用アダプタを装着することにより、ロール状物の両端に凸軸を差し込んで支持することができる。
【０００７】
また、請求項４に記載の発明は、上記ロール状物運搬用ホルダにおいて、軸支用アダプタは軸受部をＵ字形に形成してなるものであることを特徴とする。
この軸支用アダプタを装着することにより、ロール軸の外径が軸受面の曲率に比して小さい場合であっても安定した支持が可能となる。
【０００８】
また、請求項５に記載の発明は、上記ロール状物運搬用ホルダにおいて、軸受面上に軸支用アダプタを装着した状態で該軸支用アダプタを移動不能にロックするロック機構を設けたことを特徴とする。
ロック機構によって軸支用アダプタの抜脱が防止される。
【発明の効果】
【０００９】
ロール軸の形状や寸法に合う適当な軸支用アダプタを軸受パネルに装着するだけで、ロール状物が安定的に支持され、種々のロール状物を運搬等のために包囲できるようになる。
【実施例１】
【００１０】
次に本発明の実施例を図面に従い説明する。図１はこのロール状物運搬用ホルダの斜視図である。同図中、１，２は向かい合わせに配置される一対の長方形状の合成樹脂製の軸受パネル、３〜６は該軸受パネルを連結するための直線状の角パイプからなる連結杆である。該軸受パネル１，２は、図２にも示したように、その長辺を縦として起立状に配置され、該軸受パネルの上面中心から下方に向けて切込８を形成しＵ字状の軸受面９が形成される。なお、該軸受面９は該軸受パネルの高さ中心よりも少し上部に該軸受面の曲率中心ａが位置するように形成される。そして、図２に仮想線で示したように紙管等からなるロール状物１０の軸１１を該軸受パネルの高さ中心よりも少し上部にて支持し得るようにし、連結杆５，６の下部空間にフォークリフトのフォークを挿し込み得るようにしている。なお、連結杆３〜６は軸受パネル１，２の隅角部寄りに形成された取付孔７ａ〜７ｄに夫々着脱自在に嵌合され、分解，組立できるように構成される。
【００１１】
また、図３にも示したように、軸受パネル１，２の切込８の両側縁に該軸受パネルの上面中心から下方に向けて差込溝１２，１３を形成し、軸支用アダプタＡ等をこの差込溝１２，１３に挿入することで該軸支用アダプタＡ等を軸受面９上に着脱可能なるようにする。図４〜図６はこの差込溝１２，１３に挿入することで軸受面９上に着脱可能なる種々の形状の軸支用アダプタを示す。図４に示した軸支用アダプタＡは、下縁が円弧状に形成された板状部材１４の両側縁に差込溝１２，１３に合致する凸条１５，１６が形成され、該板状部材１４の前面に大径の凸軸１７が一体に形成されたものである。また、図５に示した軸支用アダプタＢは、軸支用アダプタＡと同形の板状部材１４の前面に凸軸１７よりやや小径の凸軸１８を一体に形成してなるものである。また、図６に示した軸支用アダプタＣは、全体としてＵ字形であってその底部に軸受部１９を形成し、両外側縁には差込溝１２，１３に合致する凸条１５，１６を形成してなるものである。
【００１２】
このロール状物運搬用ホルダは、図１に示したように軸受パネル１，２を向かい合わせに配置して組み立てられ、その軸受面９にロール１０の両端より突出する軸１１を支持することにより、該ロール１０を運搬可能な状態に包囲できる。
また、運搬しようとするロール状物の軸の外径が小さく軸受面９の曲率がこれに比して大きすぎる場合には、上記軸支用アダプタＣを上記のように差込溝１２，１３に凸条１５，１６をスライドさせることにより該軸受面９上に装着し、軸受部１９上にロール軸が支持されるようにすることでロール状物を安定的に支持できるようになる。
【００１３】
また、上記軸支用アダプタＡを軸受面９上に装着した場合は、図７に示したようにロール状物１０中に凸軸１７を挿入することにより該ロール状物１０を支持することができる。また、運搬しようとするロール状物の内径がこの凸軸１７の外径より小さくて挿入できないような場合は、上記軸支用アダプタＢを軸受面９上に装着し、小径の凸軸１８を該ロール状物中に挿入することで対処することができる。このように、運搬しようとするロール状物の形態や、内径、軸径等に応じて適当な軸支用アダプタを装着することができる。
【００１４】
また上記構成では、切込８の両側縁に差込溝１２，１３を形成し、該差込溝により軸支用アダプタＡ〜Ｃが支持されるようにしたことから、装着後にこれらの軸支用アダプタがずれたり脱落することなく堅固に装着でき、重量のあるロールでも安定的に支持することができる。
【００１５】
なお、差込溝１２，１３に軸支用アダプタと係合する突起や係合孔を設け軸支用アダプタＡ〜Ｃを無用に動かないようにしたり、軸受面９上に軸支用アダプタＡ〜Ｃを装着した状態で該軸支用アダプタを移動不能にロックするロック機構を軸受パネル側または軸支用アダプタ側に設けることも可能である。
図８および図９はその具体例を示す軸受パネル１，２と軸支用アダプタＡの斜視図および水平断面図で、該軸受パネルの上隅部寄りに位置するように摘子部２０を有するロック部材２１を該軸受パネル中に水平方向にスライド可能に設けるとともに、該軸支用アダプタＡの凸条１５に切欠部２２を形成し、図９に示したように該軸支用アダプタＡを差込溝１２，１３に差し込んだ状態で該ロック部材２１を矢印で示した方向に手動でスライドさせ該ロック部材を該切欠部２２に係合させることにより該軸支用アダプタＡを抜脱不能にロックでき、また、該ロック部材２１を反対にスライドさせることでそのロック状態が解かれ、該軸支用アダプタが抜き差し可能となって該軸支用アダプタを上記のような他種類のものに交換できるようにしたものである。
【００１６】
また、上記実施例では切込８の両側縁に差込溝１２，１３を形成し、軸支用アダプタに凸条１５，１６を形成したが、切込８の両側縁に凸条を形成し、軸支用アダプタに該凸条に合致する差込溝を形成してもよい。或いは、軸受面９に適宜数の係合孔（図示せず）を形成し、該係合孔に軸支用アダプタＡ〜Ｃを着脱自在に係合できる構造を採ることもできる。
【００１７】
このように本発明では軸支用アダプタを着脱自在に設けられるようにすることにより、種々の形態、形状の異なるロール状物を常に安定的に支持でき、種々の寸法、形状のロール状物を運搬するのに使用できるようにする有益な効果がある。
【図面の簡単な説明】
【００１８】
【図１】本発明の実施例であるロール状物運搬用ホルダの斜視図。
【図２】図１のロール状物運搬用ホルダの軸受パネルの正面図。
【図３】図１のロール状物運搬用ホルダにおける軸受パネルと軸支用アダプタとの拡大斜視図。
【図４】本発明の実施例であるロール状物運搬用ホルダに装着される軸支用アダプタの斜視図。
【図５】本発明の実施例であるロール状物運搬用ホルダに装着される軸支用アダプタの斜視図。
【図６】本発明の実施例であるロール状物運搬用ホルダに装着される軸支用アダプタの斜視図。
【図７】図４に示した軸支用アダプタの使用状態を示したロール状物運搬用ホルダの側面図。
【図８】本発明の実施例であるロール状物運搬用ホルダの軸受パネルと軸支用アダプタの斜視図。
【図９】本発明の実施例であるロール状物運搬用ホルダの軸受パネルと軸支用アダプタの水平断面図。
【符号の説明】
【００１９】
１，２        軸受パネル
８            切込
９            軸受面
１０          ロール状物
１１          ロール軸
１２，１３    差込溝
１４          板状部材
１５，１６    凸条
１７，１８    凸軸
１９          軸受部
Ａ〜Ｃ        軸支用アダプタ
【図１】
2005324836.tif 000003
【図２】
2005324836.tif 000004
【図３】
2005324836.tif 000005
【図４】
2005324836.tif 000006
【図５】
2005324836.tif 000007
【図６】
2005324836.tif 000008
【図７】
2005324836.tif 000009
【図８】
2005324836.tif 000010
【図９】
2005324836.tif 000011